(57)【特許請求の範囲】
【請求項１】
吸収器、蒸発器、低温熱交換器、低温再生器、中温熱交換器、中温再生器、高温熱交換器、高温再生器、凝縮器、溶液循環ポンプ、及びこれらの機器を接続する溶液配管、冷媒配管を構成要素とし、高温再生器内部の圧力が大気圧を越えた場合又は設定圧力を越えた場合に、高温再生器内部の圧力の上昇を防止するために、安全弁が高温再生器又は高温再生器からの冷媒蒸気配管に設けられ、この安全弁の吹出し口が大気開放となっている多重効用吸収冷凍機・冷温水機において、
運転中に高温再生器内部の圧力が上昇して安全弁が作動した場合に、運転中は常に略真空になるように設計されている低温再生器などの低圧部へ高圧側の冷媒蒸気及び吸収液を放出して、大気開放を防止し、かつ安全確認後の復旧を早くし、中温再生器からの圧力逃し配管を省略するために、安全弁の吹出し口を圧力逃し配管を介して中温再生器を介することなく低圧部に直接接続するとともに、高圧側の安全弁が作動して冷媒蒸気及び吸収液が流出した際の温度変化又は圧力変化を感知できるように、高圧側からの圧力逃し配管に温度測定装置又は圧力測定装置を設け、さらに、感知した温度変化又は圧力変化により高温再生器への加熱熱源の供給を停止して停止動作に入るとともに、外部へ異常を知らせることができるように、温度測定装置又は圧力測定装置と安全制御・監視装置とを電気的に接続したことを特徴とする安全装置を備えた吸収冷凍機・冷温水機。
【発明の詳細な説明】
【０００１】
【発明の属する技術分野】
本発明は、運転中に胴内圧力が上昇し、安全弁、ラプチャーディスクなどが作動した場合に、大気開放になることを防止して減圧を維持し、大気開放による腐食の悪影響をなくし、かつ、安全性を確保するとともに復旧を早くすることができる安全装置を備えた吸収冷凍機・冷温水機に関するものである。
【０００２】
【従来の技術】
従来から、吸収剤として、例えば臭化リチウムを用い、冷媒として、例えば水を用い、蒸発器、吸収器、凝縮器、低温再生器、高温再生器、低温熱交換器、高温熱交換器及びこれらの機器を接続する溶液管路、冷媒管路で構成された吸収式冷凍機・冷温水機が知られている（例えば、特開平７−１７４４３０号公報参照）。
【０００３】
従来の吸収式冷凍機・冷温水機においては、高温再生器内部の圧力が大気圧を越えた場合、又は設定圧力を越えた場合に、圧力の上昇を防止する装置として、安全弁、ラプチャーディスク又は破裂板などの圧力上昇防止手段が高温再生器又は高温再生器からの冷媒蒸気配管に設けられている。
【０００４】
【発明が解決しようとする課題】
高温再生器の胴内圧力が上昇して安全弁、ラプチャーディスクなどが作動した場合には、高温再生器内の吸収液及び冷媒が外部（系外）に放出され、すなわち、真空部が大気開放となり、吸収冷凍機・冷温水機にとって最も重要な真空の維持ができなくなるとともに、腐食による悪影響を受ける。また、真空部が大気開放されると、復旧に長時間を要するという問題がある。
【０００５】
本発明は上記の点に鑑みなされたもので、本発明の目的は、安全弁、ラプチャーディスクなどの吹出し口を低圧側に接続して大気開放にならないように構成し、減圧が維持されるようにして、安全を確保するとともに、機械に与える悪影響、とくに大気開放による腐食の悪影響をなくし、かつ、安全弁、ラプチャーディスクなどの作動後の復旧を迅速・容易に行うことができる吸収冷凍機・冷温水機を提供することにある。
また、本発明の他の目的は、安全弁、ラプチャーディスクなどが作動して冷媒蒸気・吸収液が流出した際の温度変化又は圧力変化を検知して、高温再生器での燃焼を停止し、又は加熱熱源の供給を停止し停止動作に入るとともに、外部へ異常を知らせる電気的な回路を装備した吸収冷凍機・冷温水機を提供することにある。
【０００６】
【課題を解決するための手段】
上記の目的を達成するために、本発明の安全装置を備えた吸収冷凍機・冷温水機は、吸収器、蒸発器、低温熱交換器、低温再生器、高温熱交換器、高温再生器、凝縮器、溶液循環ポンプ、及びこれらの機器を接続する溶液配管、冷媒配管を構成要素とし、高温再生器内部の圧力が大気圧を越えた場合又は設定圧力を越えた場合に、高温再生器内部の圧力の上昇を防止するために、安全弁、ラプチャーディスク及び破裂板のいずれかの圧力上昇防止手段が高温再生器又は高温再生器からの冷媒蒸気配管に設けられ、この圧力上昇防止手段の吹出し口が大気開放となっている二重効用吸収冷凍機・冷温水機において、運転中に高温再生器内部の圧力が上昇して圧力上昇防止手段が作動した場合に、運転中は常に略真空になるように設計されている低圧部へ高圧側の冷媒蒸気及び吸収液を放出して、大気開放を防止し、かつ安全確認後の復旧を早くするために、圧力上昇防止手段の吹出し口を圧力逃し配管を介して低圧部に接続して構成されている（図１参照）。
【０００７】
また、本発明の安全装置を備えた吸収冷凍機・冷温水機は、吸収器、蒸発器、低温熱交換器、低温再生器、高温熱交換器、高温再生器、凝縮器、溶液循環ポンプ、及びこれらの機器を接続する溶液配管、冷媒配管を構成要素とし、高温再生器内部の圧力が大気圧を越えた場合又は設定圧力を越えた場合に、高温再生器内部の圧力の上昇を防止するために、安全弁、ラプチャーディスク及び破裂板のいずれかの圧力上昇防止手段が高温再生器又は高温再生器からの冷媒蒸気配管に設けられ、この圧力上昇防止手段の吹出し口が大気開放となっている二重効用吸収冷凍機・冷温水機において、運転中に高温再生器内部の圧力が上昇して圧力上昇防止手段が作動した場合に、運転中は常に略真空になるように設計されている低圧部へ高圧側の冷媒蒸気及び吸収液を放出して、大気開放を防止し、かつ安全確認後の復旧を早くするために、圧力上昇防止手段の吹出し口を圧力逃し配管を介して低圧部に接続するとともに、高圧側の圧力上昇防止手段が作動して冷媒蒸気及び吸収液が流出した際の温度変化又は圧力変化を感知できるように、圧力逃し配管に温度測定装置又は圧力測定装置を設け、さらに、感知した温度変化又は圧力変化により高温再生器への加熱熱源の供給を停止して停止動作に入るとともに、外部へ異常を知らせることができるように、温度測定装置又は圧力測定装置と安全制御・監視装置とを電気的に接続したことを特徴としている（図２参照）。
【０００８】
また、本発明の安全装置を備えた吸収冷凍機・冷温水機は、吸収器、蒸発器、低温熱交換器、低温再生器、中温熱交換器、中温再生器、高温熱交換器、高温再生器、凝縮器、溶液循環ポンプ、及びこれらの機器を接続する溶液配管、冷媒配管を構成要素とし、高温再生器内部の圧力が大気圧を越えた場合又は設定圧力を越えた場合に、高温再生器内部の圧力の上昇を防止するために、安全弁、ラプチャーディスク及び破裂板のいずれかの圧力上昇防止手段が高温再生器又は高温再生器からの冷媒蒸気配管に設けられ、この圧力上昇防止手段の吹出し口が大気開放となっている多重効用吸収冷凍機・冷温水機において、運転中に高温再生器内部の圧力が上昇して圧力上昇防止手段が作動した場合に、圧力レベルが低位となる中温再生器へ高圧側の冷媒蒸気及び吸収液を放出して、大気開放を防止し、かつ安全確認後の復旧を早くするために、圧力上昇防止手段の吹出し口を圧力逃し配管を介して中温再生器に接続し、さらに、中温再生器又は中温再生器からの冷媒蒸気配管にラプチャーディスク、破裂板及び安全弁のいずれかの圧力上昇防止手段を設け、運転中に中温再生器内部の圧力が上昇して中温再生器の圧力上昇防止手段が作動した場合に、運転中は常に略真空になるように設計されている低圧部へ中圧側の冷媒蒸気及び吸収液を放出して、大気開放を防止し、かつ安全確認後の復旧を早くするために、中温再生器の圧力上昇防止手段の吹出し口を圧力逃し配管を介して低圧部に接続したことを特徴としている（図３、図５参照）。
【０００９】
また、本発明の安全装置を備えた吸収冷凍機・冷温水機は、吸収器、蒸発器、低温熱交換器、低温再生器、中温熱交換器、中温再生器、高温熱交換器、高温再生器、凝縮器、溶液循環ポンプ、及びこれらの機器を接続する溶液配管、冷媒配管を構成要素とし、高温再生器内部の圧力が大気圧を越えた場合又は設定圧力を越えた場合に、高温再生器内部の圧力の上昇を防止するために、安全弁、ラプチャーディスク及び破裂板のいずれかの圧力上昇防止手段が高温再生器又は高温再生器からの冷媒蒸気配管に設けられ、この圧力上昇防止手段の吹出し口が大気開放となっている多重効用吸収冷凍機・冷温水機において、運転中に高温再生器内部の圧力が上昇して圧力上昇防止手段が作動した場合に、圧力レベルが低位となる中温再生器へ高圧側の冷媒蒸気及び吸収液を放出して、大気開放を防止し、かつ安全確認後の復旧を早くするために、圧力上昇防止手段の吹出し口を圧力逃し配管を介して中温再生器に接続し、さらに、中温再生器又は中温再生器からの冷媒蒸気配管にラプチャーディスク、破裂板及び安全弁のいずれかの圧力上昇防止手段を設け、運転中に中温再生器内部の圧力が上昇して中温再生器の圧力上昇防止手段が作動した場合に、運転中は常に略真空になるように設計されている低圧部へ中圧側の冷媒蒸気及び吸収液を放出して、大気開放を防止し、かつ安全確認後の復旧を早くするために、中温再生器の圧力上昇防止手段の吹出し口を圧力逃し配管を介して低圧部に接続するとともに、高圧側の圧力上昇防止手段が作動して冷媒蒸気及び吸収液が流出した際の温度変化又は圧力変化を感知できるように、高圧側からの圧力逃し配管に温度測定装置又は圧力測定装置を設け、さらに、感知した温度変化又は圧力変化により高温再生器への加熱熱源の供給を停止して停止動作に入るとともに、外部へ異常を知らせることができるように、温度測定装置又は圧力測定装置と安全制御・監視装置とを電気的に接続したことを特徴としている（図４、図６参照）。
【００１０】
また、本発明の安全装置を備えた吸収冷凍機・冷温水機は、吸収器、蒸発器、低温熱交換器、低温再生器、中温熱交換器、中温再生器、高温熱交換器、高温再生器、凝縮器、溶液循環ポンプ、及びこれらの機器を接続する溶液配管、冷媒配管を構成要素とし、高温再生器内部の圧力が大気圧を越えた場合又は設定圧力を越えた場合に、高温再生器内部の圧力の上昇を防止するために、安全弁、ラプチャーディスク及び破裂板のいずれかの圧力上昇防止手段が高温再生器又は高温再生器からの冷媒蒸気配管に設けられ、この圧力上昇防止手段の吹出し口が大気開放となっている多重効用吸収冷凍機・冷温水機において、運転中に高温再生器内部の圧力が上昇して圧力上昇防止手段が作動した場合に、運転中は常に略真空になるように設計されている低温再生器などの低圧部へ高圧側の冷媒蒸気及び吸収液を放出して、大気開放を防止し、かつ安全確認後の復旧を早くするために、圧力上昇防止手段の吹出し口を圧力逃し配管を介して低圧部に接続したことを特徴としている（図７、図９参照）。
【００１１】
さらに、本発明の安全装置を備えた吸収冷凍機・冷温水機は、吸収器、蒸発器、低温熱交換器、低温再生器、中温熱交換器、中温再生器、高温熱交換器、高温再生器、凝縮器、溶液循環ポンプ、及びこれらの機器を接続する溶液配管、冷媒配管を構成要素とし、高温再生器内部の圧力が大気圧を越えた場合又は設定圧力を越えた場合に、高温再生器内部の圧力の上昇を防止するために、安全弁、ラプチャーディスク及び破裂板のいずれかの圧力上昇防止手段が高温再生器又は高温再生器からの冷媒蒸気配管に設けられ、この圧力上昇防止手段の吹出し口が大気開放となっている多重効用吸収冷凍機・冷温水機において、運転中に高温再生器内部の圧力が上昇して圧力上昇防止手段が作動した場合に、運転中は常に略真空になるように設計されている低温再生器などの低圧部へ高圧側の冷媒蒸気及び吸収液を放出して、大気開放を防止し、かつ安全確認後の復旧を早くするために、圧力上昇防止手段の吹出し口を圧力逃し配管を介して低圧部に接続するとともに、高圧側の圧力上昇防止手段が作動して冷媒蒸気及び吸収液が流出した際の温度変化又は圧力変化を感知できるように、高圧側からの圧力逃し配管に温度測定装置又は圧力測定装置を設け、さらに、感知した温度変化又は圧力変化により高温再生器への加熱熱源の供給を停止して停止動作に入るとともに、外部へ異常を知らせることができるように、温度測定装置又は圧力測定装置と安全制御・監視装置とを電気的に接続したことを特徴としている（図８、図１０参照）。
【００１２】
上記の吸収冷凍機・冷温水機において、中温熱交換器及び中温再生器を設ける場合は、高圧側の圧力上昇防止手段として安全弁を用い、中圧側の圧力上昇防止手段としてラプチャーディスク（又は破裂板）を用いることが望ましい（図３〜図６参照）。
また、高温再生器の加熱熱源としては、燃料燃焼装置の燃焼熱、蒸気（スチーム）、ガスエンジン、ガスタービンなどの熱機関から発生する燃焼排ガスなどを用いることができる。
また、高温再生器を設ける代りに、貫流ボイラなどを設けた構成とすることも可能である。
【００１３】
【発明の実施の形態】
以下、本発明の実施の形態を吸収冷凍機の場合について説明するが、本発明は吸収冷凍機の場合に限定されるものではなく、吸収冷温水機の場合にも適用できるものである。
図１は、本発明の実施の第１形態による安全装置を備えた二重効用吸収冷凍機を示している。図１に示すように、蒸発器１０、吸収器１２、凝縮器１４、低温再生器１６、ガス又は油等の燃料を直接燃焼させて吸収液を加熱・濃縮するための燃焼装置１７を有する高温再生器１８、低温熱交換器２０、高温熱交換器２２、溶液循環ポンプ、及びこれらの機器を接続する溶液配管、冷媒配管等を構成要素として二重効用吸収冷凍機が構成されている。
【００１４】
高温再生器１８からの冷媒蒸気配管２４には安全弁、ラプチャーディスク、破裂板などの圧力上昇防止手段２６（図１では一例として安全弁を示している。以下、安全弁２６と記す場合がある）が接続され、この安全弁２６の吹出し口２８が圧力逃し配管３０を介して低温再生器１６に接続されている。
【００１５】
上記のように構成された二重効用吸収冷凍機において、吸収器１２内の吸収液（稀液、例えば臭化リチウム水溶液）は溶液ポンプ（低温ポンプ）３２により低温熱交換器２０及び高温熱交換器２２を経て高温再生器１８に送られ、燃焼装置１７で燃料を燃焼させ、発生する燃焼ガスにより、吸収液は加熱されて濃縮される。なお、高温再生器１８の加熱熱源として、燃焼装置を設けて燃料の燃焼熱を利用する代りに、蒸気（スチーム）、ガスエンジン、ガスタービンなどの熱機関からの排気ガスを用いることも可能である。
【００１６】
高温再生器１８からの吸収液は高温熱交換器２２を経て低温再生器１６へ送られ、ここで高温再生器１８からの冷媒蒸気（例えば水蒸気）によって加熱・濃縮される。ついで、低温再生器１６からの吸収液は低温熱交換器２０に送られた後、吸収器１２に導入され、冷却水により間接的に冷却されるとともに、蒸発器１０からの冷媒液（例えば水）と混合して稀液となる。
一方、高温再生器１８からの冷媒蒸気は低温再生器１６に入り、ここで吸収液を加熱することで冷媒蒸気は凝縮・液化して凝縮器１４に入る。低温再生器１６において吸収液が濃縮されるときに発生した冷媒蒸気が凝縮器１４に入って冷却水により間接的に冷却されて凝縮した後、冷媒液（例えば水）は蒸発器１０に入り、この凝縮した冷媒水が冷媒ポンプ３４により蒸発器１０の伝熱管（水が流通している）に散布されて冷水が得られる。
【００１７】
運転中に高温再生器１８内部の圧力が上昇して安全弁２６が作動した場合でも、運転中に常に略真空になるように設計されている低温再生器１６へ、高温再生器１８からの冷媒蒸気及び吸収液が放出されるので、安全が確保されるとともに、大気開放が防止され、かつ安全確認後の復旧を迅速、容易に行うことができる。
なお、低温再生器１６などの低圧部は、冷房運転中の性能を維持するために、真空ポンプ、自動抽気装置などにより常に高真空を保つようになっている。また、停止中は高温再生器１８の加熱は行われず、低温側、高温側ともに同圧となり、かつ略真空であるため安全弁２６が作動することはない。
本実施形態においては、安全装置は、安全弁２６、安全弁の吹出し口２８と低温再生器１６などの低圧部とを接続する圧力逃し配管３０で構成される。
【００１８】
以上は、吸収液が吸収器１２から高温再生器１８へ汲み上げられた後、低温再生器１６へ流れるように接続・配置されたシリーズフロータイプの二重効用吸収冷凍機について説明したが、吸収液が吸収器から低温再生器へ汲み上げられ、さらに高温再生器へ汲み上げられるように接続・配置されたリバースフロータイプの二重効用吸収冷凍機や、吸収液が吸収器から高温再生器及び低温再生器へ同時に汲み上げられるように接続・配置されたパラレルフロータイプの二重効用吸収冷凍機に適用することも、勿論可能である。
また、吸収冷凍機の代りに吸収冷温水機に適用することも、勿論可能である。この場合は、低温再生器の冷媒配管と蒸発器との間に冷暖切替弁（図示略）を設け、冷水運転時は冷暖切替弁を閉とし、温水運転時は冷暖切替弁を開とし、吸収器及び凝縮器への冷却水の供給を止めるようにする。なお、高温再生器の代りに貫流ボイラを用いることも可能である。
【００１９】
図２は、本発明の実施の第２形態による安全装置を備えた二重効用吸収冷凍機を示している。本実施形態は、高圧側の圧力上昇防止手段、例えば安全弁２６の吹出し口２８と低圧部とを接続する圧力逃し配管３０に温度測定装置、例えば温度センサー、又は圧力測定装置、例えば圧力センサーを設け、この温度センサー又は圧力センサー３６と外部（系外）の安全制御・監視装置３８とを電気的に接続して、高圧側の安全弁２６が作動して冷媒蒸気及び吸収液が流出した際の温度変化又は圧力変化を検知して、検知信号を送ることにより、高温再生器１８での燃焼を停止し、又は加熱熱源の供給を停止して、停止動作に入るように電気的な安全回路を組み、外部へ異常を知らせることができるように構成されている。
本実施形態においては、高温再生器１８内の圧力が上昇し、安全弁２６が作動した場合に、吹出し口２８を圧力逃し配管３０を介して低圧側に接続し圧力を逃がして安全を確保すると同時に、大気開放を防止し、かつ安全確認後の復旧を迅速、容易にすることができ、同時に安全停止動作に入り、外部へ異常を知らせることができる。
本実施形態においては、安全装置は、安全弁２６、安全弁の吹出し口２８と低温再生器１６などの低圧部とを接続する圧力逃し配管３０、温度センサー又は圧力センサー３６、この温度センサー又は圧力センサー３６に接続された安全制御・監視装置３８で構成される。他の構成及び作用は実施の第１形態の場合と同様である。
【００２０】
図３は、本発明の実施の第３形態による安全装置を備えた多重効用吸収冷凍機を示している。図３では一例として三重効用吸収冷凍機の場合を示している。図３に示すように、蒸発器１０、吸収器１２、凝縮器１４、低温再生器１６、中温再生器４０、ガス又は油等の燃料を直接燃焼させて吸収液を加熱・濃縮するための燃焼装置１７を有する高温再生器１８、低温熱交換器２０、中温熱交換器４２、高温熱交換器２２、溶液循環ポンプ、及びこれらの機器を接続する溶液配管、冷媒配管等を構成要素として三重効用吸収冷凍機が構成されている。
【００２１】
高温再生器１８からの冷媒蒸気配管２４には安全弁、ラプチャーディスク、破裂板などの圧力上昇防止手段２６（図３では一例として安全弁を示している。以下、安全弁２６と記す場合がある）が接続され、この安全弁２６の吹出し口２８が圧力逃し配管３０を介して中温再生器４０に接続されている。
中温再生器４０からの冷媒蒸気配管４４には、ラプチャーディスク、破裂板、安全弁などの圧力上昇防止手段４６（図３では一例としてラプチャーディスクを示している。以下、ラプチャーディスク４６と記す場合がある）が接続され、このラプチャーディスク４６の吹出し口４８が圧力逃し配管５０を介して低温再生器１６に接続されている。
【００２２】
上記のように構成された三重効用吸収冷凍機において、吸収器１２内の吸収液（稀液、例えば臭化リチウム水溶液）は溶液ポンプ（低温ポンプ）３２により低温熱交換器２０、中温熱交換器４２及び高温熱交換器２２を経て高温再生器１８に送られ、燃焼装置１７で燃料を燃焼させ、発生する燃焼ガスにより、吸収液は加熱されて濃縮される。なお、高温再生器１８の加熱熱源として、燃焼装置を設けて燃料の燃焼熱を利用する代りに、蒸気（スチーム）、ガスエンジン、ガスタービンなどの熱機関からの排気ガスを用いることも可能である。
【００２３】
高温再生器１８からの吸収液は高温熱交換器２２を経て中温再生器４０へ送られ、ここで高温再生器１８からの冷媒蒸気（例えば水蒸気）によって加熱・濃縮される。ついで、中温再生器４０からの吸収液は中温熱交換器４２に送られた後、低温再生器１６に導入され、ここで中温再生器４０からの冷媒蒸気によって加熱・濃縮される。低温再生器１６からの吸収液は低温熱交換器２０に送られた後、吸収器１２に導入され、冷却水により間接的に冷却されるとともに、蒸発器１０からの冷媒液（例えば水）と混合して稀液となる。
【００２４】
一方、高温再生器１８からの冷媒蒸気は中温再生器４０に入り、ここで吸収液を加熱することで冷媒蒸気は一部が凝縮・液化して低温再生器１６に入る。中温再生器４０において吸収液が濃縮されるときに発生した冷媒蒸気は、冷媒蒸気配管４４を経て低温再生器１６に導入される。
低温再生器１６において吸収液が濃縮されるときに発生した冷媒蒸気が凝縮器１４に入って冷却水により間接的に冷却されて凝縮した後、冷媒液（例えば水）は蒸発器１０に入り、この凝縮した冷媒水が冷媒ポンプ３４により蒸発器１０の伝熱管（水が流通している）に散布されて冷水が得られる。
【００２５】
運転中に高温再生器１８内部の圧力が上昇して安全弁２６が作動した場合でも、運転中に常に略真空になるように設計されている中温再生器４０へ、高温再生器１８からの冷媒蒸気及び吸収液が放出されるので、安全が確保されるとともに、大気開放が防止され、かつ安全確認後の復旧を迅速、容易に行うことができる。
また、同様に、運転中に中温再生器４０内部の圧力が上昇してラプチャーディスク４６が作動した場合でも、運転中に常に略真空になるように設計されている低温再生器１６へ、中温再生器４０からの冷媒蒸気及び吸収液が放出されるので、安全が確保されるとともに、大気開放が防止され、かつ安全確認後の復旧を迅速、容易に行うことができる。
このように、安全弁２６やラプチャーディスク４６の吹出し口を、圧力逃し配管を介して順次低圧側に接続して圧力を逃がすことにより、胴内容積を有効に減圧用として利用することができる。また、各圧力レベルに応じて、高圧側は安全弁、低圧側はラプチャーディスクなどのように、それぞれの特徴を生かして使い分けすることが望ましい。
【００２６】
なお、低温再生器１６などの低圧部は、冷房運転中の性能を維持するために、真空ポンプ、自動抽気装置などにより常に高真空を保つようになっている。また、停止中は高温再生器１８の加熱は行われず、低温側、高温側ともに同圧となり、かつ略真空であるため安全弁２６が作動することはない。
本実施形態においては、安全装置は、安全弁２６、安全弁の吹出し口２８と中温再生器４０とを接続する圧力逃し配管３０、ラプチャーディスク４６、ラプチャーディスクの吹出し口４８と低温再生器１６などの低圧部とを接続する圧力逃し配管５０で構成される。
【００２７】
以上は、吸収液が吸収器１２から高温再生器１８へ汲み上げられた後、中温再生器４０を経て低温再生器１６へ流れるように接続・配置されたシリーズフロータイプの三重効用吸収冷凍機について説明したが、吸収液が吸収器から低温再生器へ汲み上げられ、中温再生器を経てさらに高温再生器へ汲み上げられるように接続・配置されたリバースフロータイプの三重効用吸収冷凍機や、吸収液が吸収器から高温再生器、中温再生器及び低温再生器へ同時に汲み上げられるように接続・配置されたパラレルフロータイプの三重効用吸収冷凍機に適用することも、勿論可能である。なお、四重効用以上の多重効用吸収冷凍機に適用することも可能である。
また、吸収冷凍機の代りに吸収冷温水機に適用することも、勿論可能である。この場合は、低温再生器又は／及び中温再生器の冷媒配管と蒸発器との間に冷暖切替弁（図示略）を設け、冷水運転時は冷暖切替弁を閉とし、温水運転時は冷暖切替弁を開とし、吸収器及び凝縮器への冷却水の供給を止めるようにする。なお、高温再生器の代りに貫流ボイラを用いることも可能である。
【００２８】
図４は、本発明の実施の第４形態による安全装置を備えた三重効用吸収冷凍機を示している。本実施形態は、高圧側の圧力上昇防止手段、例えば安全弁２６の吹出し口２８と低圧部とを接続する圧力逃し配管３０に温度測定装置、例えば温度センサー、又は圧力測定装置、例えば圧力センサーを設け、この温度センサー又は圧力センサー３６と外部（系外）の安全制御・監視装置３８とを電気的に接続して、高圧側の安全弁２６が作動して冷媒蒸気及び吸収液が流出した際の温度変化又は圧力変化を検知して、検知信号を送ることにより、高温再生器１８での燃焼を停止し、又は加熱熱源の供給を停止して、停止動作に入るように電気的な安全回路を組み、外部へ異常を知らせることができるように構成されている。
本実施形態においては、高温再生器１８内の圧力が上昇し、安全弁２６が作動した場合に、吹出し口２８を圧力逃し配管３０を介して低圧側に接続し圧力を逃がして安全を確保すると同時に、大気開放を防止し、かつ安全確認後の復旧を迅速、容易にすることができ、同時に安全停止動作に入り、外部へ異常を知らせることができる。
本実施形態においては、安全装置は、安全弁２６、安全弁の吹出し口２８と中温再生器４０とを接続する圧力逃し配管３０、温度センサー又は圧力センサー３６、この温度センサー又は圧力センサー３６に接続された安全制御・監視装置３８、ラプチャーディスク４６、ラプチャーディスクの吹出し口４８と低温再生器１６などの低圧部とを接続する圧力逃し配管５０で構成される。他の構成及び作用は実施の第３形態の場合と同様である。
【００２９】
図５は、本発明の実施の第５形態による安全装置を備えた三重効用吸収冷凍機を示している。本実施形態は、吸収器１２からの吸収液が、低温再生器１６へ汲み上げられた後、溶液ポンプ５２にて中温再生器４０へ供給され、さらに溶液ポンプ５４により高温再生器１８へ供給されるように各機器及び配管が配置・接続されたリバースフロータイプの吸収冷凍機に適用したものである。他の構成及び作用は実施の第３形態の場合と同様である。
【００３０】
図６は、本発明の実施の第６形態による安全装置を備えた三重効用吸収冷凍機を示している。本実施形態は、吸収器１２からの吸収液が、低温再生器１６へ汲み上げられた後、溶液ポンプ５２にて中温再生器４０へ供給され、さらに溶液ポンプ５４により高温再生器１８へ供給されるように各機器及び配管が配置・接続されたリバースフロータイプの吸収冷凍機に適用したものである。他の構成及び作用は実施の第４形態の場合と同様である。
【００３１】
図７は、本発明の実施の第７形態による安全装置を備えた三重効用吸収冷凍機を示している。本実施形態は、多重効用、例えば三重効用形吸収冷凍機又は冷温水機の高温再生器１８からの圧力逃し配管３０ａを低温再生器１６などの低圧部に直接つなぐようにして、中温再生器４０からの圧力逃し配管を省略するように構成したものである。他の構成及び作用は実施の第３形態の場合と同様である。
【００３２】
図８は、本発明の実施の第８形態による安全装置を備えた三重効用吸収冷凍機を示している。本実施形態は、多重効用、例えば三重効用形吸収冷凍機又は冷温水機の高温再生器１８からの圧力逃し配管３０ａを低温再生器１６などの低圧部に直接つなぐようにして、中温再生器４０からの圧力逃し配管を省略するように構成したものである。他の構成及び作用は実施の第４形態の場合と同様である。
【００３３】
図９は、本発明の実施の第９形態による安全装置を備えた三重効用吸収冷凍機を示している。本実施形態は、多重効用、例えば三重効用形吸収冷凍機又は冷温水機の高温再生器１８からの圧力逃し配管３０ａを低温再生器１６などの低圧部に直接つなぐようにして、中温再生器４０からの圧力逃し配管を省略するように構成したものである。他の構成及び作用は実施の第５形態の場合と同様である
【００３４】
図１０は、本発明の実施の第１０形態による安全装置を備えた三重効用吸収冷凍機を示している。本実施形態は、多重効用、例えば三重効用形吸収冷凍機又は冷温水機の高温再生器１８からの圧力逃し配管３０ａを低温再生器１６などの低圧部に直接つなぐようにして、中温再生器４０からの圧力逃し配管を省略するように構成したものである。他の構成及び作用は実施の第６形態の場合と同様である。
【００３５】
【発明の効果】
本発明は上記のように構成されているので、つぎのような効果を奏する。
（１）  高圧側の安全弁、ラプチャーディスク、破裂板などの圧力上昇防止手段の吹出し口を低圧側に接続して大気開放にならないように構成されているので、安全弁等の圧力上昇防止手段が作動した場合でも、減圧が維持され、安全を確保することができるとともに、機械に与える腐食などの悪影響をなくし、かつ、安全弁等の圧力上昇防止手段作動後の復旧を迅速・容易に行うことができる。
（２）  高圧側の安全弁等の圧力上昇防止手段からの圧力逃し配管に温度測定装置又は圧力測定装置を設け、この温度測定装置又は圧力測定装置を安全制御・監視装置に接続するように構成する場合は、上記（１）の効果に加えて、安全弁等の圧力上昇防止手段の作動により流出した冷媒蒸気・吸収液の温度変化又は圧力変化を検知して、検知信号を安全制御・監視装置へ送り、高温再生器での燃焼を停止するか、又は加熱熱源の供給を停止し停止動作に入るとともに、外部へ異常を知らせることができる。
【図面の簡単な説明】
【図１】本発明の実施の第１形態による安全装置を備えた吸収冷凍機の系統的概略構成図である。
【図２】本発明の実施の第２形態による安全装置を備えた吸収冷凍機の系統的概略構成図である。
【図３】本発明の実施の第３形態による安全装置を備えた吸収冷凍機の系統的概略構成図である。
【図４】本発明の実施の第４形態による安全装置を備えた吸収冷凍機の系統的概略構成図である。
【図５】本発明の実施の第５形態による安全装置を備えた吸収冷凍機の系統的概略構成図である。
【図６】本発明の実施の第６形態による安全装置を備えた吸収冷凍機の系統的概略構成図である。
【図７】本発明の実施の第７形態による安全装置を備えた吸収冷凍機の系統的概略構成図である。
【図８】本発明の実施の第８形態による安全装置を備えた吸収冷凍機の系統的概略構成図である。
【図９】本発明の実施の第９形態による安全装置を備えた吸収冷凍機の系統的概略構成図である。
【図１０】本発明の実施の第１０形態による安全装置を備えた吸収冷凍機の系統的概略構成図である。
【符号の説明】
１０  蒸発器
１２  吸収器
１４  凝縮器
１６  低温再生器
１７  燃焼装置
１８  高温再生器
２０  低温熱交換器
２２  高温熱交換器
２４、４４  冷媒蒸気配管
２６  安全弁（圧力上昇防止手段）
２８、４８  吹出し口
３０、３０ａ、５０  圧力逃し配管
３２、５２、５４  溶液ポンプ
３４  冷媒ポンプ
３６  温度センサー又は圧力センサー
３８  安全制御・監視装置
４０  中温再生器
４２  中温熱交換器
４６  ラプチャーディスク（圧力上昇防止手段）
【図１】
0003620639.tif 000002
【図２】
0003620639.tif 000003
【図３】
0003620639.tif 000004
【図４】
0003620639.tif 000005
【図５】
0003620639.tif 000006
【図６】
0003620639.tif 000007
【図７】
0003620639.tif 000008
【図８】
0003620639.tif 000009
【図９】
0003620639.tif 000010
【図１０】
0003620639.tif 000011